(57)【要約】【課題】  除湿器の吸湿剤に回転ファンにより空気を送り、除湿効率を高めて一定期間における除湿量を多くし湿度を低くすると共に、除湿する空間の除湿ムラを少なくすることができる除湿機を得るにある。【解決手段】  塩化カルシウム・塩化マグネシウム等の吸湿剤を入れた容器の開口部を透湿非透水性シートで塞いだ除湿器において、その除湿器に着脱自在に取付けることができる本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとで除湿機を構成している。【選択図】  図２
2005052816.tif 000002
【特許請求の範囲】
【請求項１】
塩化カルシウム・塩化マグネシウム等の吸湿剤を入れた容器の開口部を透湿非透水性シートで塞いだ除湿器において、その除湿器に着脱自在に取付けることができる本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとからなることを特徴とする除湿機。
【請求項２】
塩化カルシウム・塩化マグネシウム等の吸湿剤を入れた容器の開口部を透湿非透水性シートで塞ぎ、通気口を有する蓋を取付けた除湿器において、前記蓋に着脱自在に取付けるかもしくは、前記蓋と一体形成した本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとからなることを特徴とする除湿機。
【請求項３】
透湿性シートでできた袋や、小さな孔のあいた袋に入れた塩化カルシウムや酸化カルシウム、シリカゲル等の吸湿剤と、それを収容することができる開口部を有する容器からなる除湿器において、前記容器に着脱自在に取付けるかもしくは、前記容器と一体形成した本体と、その本体の外殻部に開口した吸気口と、前記本体の外殻部に開口した排気口と、前記吸気口から前記排気口に通じる前記本体内の空気通路に設けた送気できる回転ファンと、その回転ファンを回転させるモーターと、そのモーターの電源と、その電源のスイッチとからなることを特徴とする除湿機。
【請求項３】
前記本体に着脱自在に取り付けることができる消臭剤や脱臭剤、芳香剤、除菌剤等とからなることを特徴とする請求項１、２、３記載の除湿機。
【発明の詳細な説明】
【技術分野】
【０００１】  本発明は、吸湿剤を有する除湿器に、回転ファンにより空気を送り除湿効率を高めるための除湿機に関する。
【背景技術】
【０００２】  従来の除湿器は、塩化カルシウムや塩化マグネシウム等の吸湿剤を入れた容器の開口部を透湿性シートで塞いだ構造や、透湿性シートでできた袋や、小さな孔のあいた袋に入れた塩化カルシウムや酸化カルシウム、シリカゲル等の吸湿剤を容器に収容した構造になっている。その除湿効率を高めるための背景技術として「外気と接触して潮解することにより吸湿する潮解性吸湿剤と、この潮解性吸湿剤を収容する収容部を形成する可透湿部と、前記潮解性吸湿剤が潮解した際の潮解液を貯留する貯留部を備える容器本体とを備え、前記潮解性吸湿剤を収容する可透湿部を、収容部内に外気を導く透湿性と潮解液が外部に漏出することを防止する非透水性とを有すると共に、且つ成形性を有する構造部材で立体的に形成することを特徴とする除湿機。」がある（特許文献１参照）。【０００３】
【特許文献１】特願平８−９４２９２号公報
【発明の開示】
【発明が解決しようとする課題】
【０００４】  従来、塩化カルシウム・塩化マグネシウム等の吸湿剤を入れた容器の開口部を透湿性シートで塞いだ除湿器や、透湿性シートでできた袋や、小さな孔のあいた袋に入れた塩化カルシウムや酸化カルシウム、シリカゲル等の吸湿剤を容器に収容した除湿器は、自然の空気の流れによって除湿するのもであり、一定期間における除湿量が少なく湿度があまり低くならないという欠点と、除湿器の周辺だけが除湿され、除湿したい押入や下駄箱、収納庫等の中の空間に除湿ムラがあるという欠点があった。【０００５】  本発明は以上のような従来の欠点に鑑み、除湿器の吸湿剤に回転ファンにより空気を送り、除湿効率を高めて一定期間における除湿量を多くし湿度を低くすると共に、除湿する空間の除湿ムラを少なくすることができる除湿機を提供することを目的としている。【０００６】  本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【課題を解決するための手段】
【０００７】  上記目的を達成するために、請求項１記載の発明は、塩化カルシウム・塩化マグネシウム等の吸湿剤を入れた容器の開口部を透湿非透水性シートで塞いだ除湿器において、その除湿器に着脱自在に取付けることができる本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとで除湿機を構成している。【０００８】  請求項２記載の発明は、塩化カルシウム・塩化マグネシウム等の吸湿剤を入れた容器の開口部を透湿非透水性シートで塞ぎ、通気口を有する蓋を取付けた除湿器において、前記蓋に着脱自在に取付けるかもしくは、前記蓋と一体形成した本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとで除湿機を構成している。【０００９】  請求項３記載の発明は、透湿性シートでできた袋や、小さな孔のあいた袋に入れた塩化カルシウムや酸化カルシウム、シリカゲル等の吸湿剤と、それを収容することができる開口部を有する容器からなる除湿器において、前記容器に着脱自在に取付けるかもしくは、前記容器と一体形成した本体と、その本体の外殻部に開口した吸気口と、前記本体の外殻部に開口した排気口と、前記吸気口から前記排気口に通じる前記本体内の空気通路に設けた送気できる回転ファンと、その回転ファンを回転させるモーターと、そのモーターの電源と、その電源のスイッチとで除湿機を構成している。【００１０】  請求項４記載の発明は、請求項１、２、３に係わる発明であり、前記本体に着脱自在に取り付けることができる消臭剤や脱臭剤、芳香剤、除菌剤等とで除湿機を構成している。
【発明の効果】
【００１１】（１）請求項１記載の発明は、塩化カルシウム・塩化マグネシウム等の吸湿剤を入れた容器の開口部を透湿非透水性シートで塞いだ除湿器において、その除湿器に着脱自在に取付けることができる本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとで構成されているので、自然による空気の流れだけでなく、回転ファンにより吸湿剤に空気を流すことができるので、除湿効率が高くなり、一定期間における除湿量を多くして、湿度を低くできる効果がある。【００１２】（２）前記（１）によって、湿度を低くできるのでカビの発生・発育を抑えると共に、カビによる損傷や悪臭をなくしたり、少なくできる効果がある。【００１３】（３）前記（１）によって、湿度を低くできるので、結露を少なくできる効果がある。【００１４】（４）前記（１）によって、湿度を低くできるので、押入や下駄箱、収納庫等の中に設置すれば布団や衣類、靴、収納物等が湿気たり、カビや結露で損傷するのを防ぐ効果と共に、それらの内部空間の除湿ムラを少なくして均一に除湿できる効果がある。【００１５】（５）前記（１）によって、構造が簡単であるので、容易に実施することができる。【００１６】（６）前記（１）によって、使い方が簡単で、誰でも安全に使用することができる。【００１７】（７）請求項２記載の発明は、塩化カルシウム・塩化マグネシウム等の吸湿剤を入れた容器の開口部を透湿非透水性シートで塞ぎ、通気口を有する蓋を取付けた除湿器において、前記蓋に着脱自在に取付けるかもしくは、前記蓋と一体形成した本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとで構成されているので、前記（１）〜（６）と同様の効果が得られる。【００１８】（８）請求項３記載の発明は、透湿性シートでできた袋や、小さな孔のあいた袋に入れた塩化カルシウムや酸化カルシウム、シリカゲル等の吸湿剤と、それを収容することができる開口部を有する容器からなる除湿器において、前記容器に着脱自在に取付けるかもしくは、前記容器と一体形成した本体と、その本体の外殻部に開口した吸気口と、前記本体の外殻部に開口した排気口と、前記吸気口から前記排気口に通じる前記本体内の空気通路に設けた送気できる回転ファンと、その回転ファンを回転させるモーターと、そのモーターの電源と、その電源のスイッチとで構成されているので、前記（１）〜（６）と同様の効果が得られる。【００１９】（９）請求項４記載の発明は、請求項１、２、３に係わる発明であり、前記本体に着脱自在に取り付けることができる消臭剤や脱臭剤、芳香剤、除菌剤等とで構成されているので、前記（１）〜（６）と同様の効果が得られるとともに、消臭や脱臭、芳香、除菌がされる効果が得られる。
【発明を実施するための最良の形態】
【００２０】  以下、図面に示す実施の形態により、本発明を詳細に説明する。【００２１】  図１ないし図２に示す本発明の第１の実施形態において、１は上部が開口した容器で、その容器１の中に設けた滴下孔２ａを有する棚板２の上に、塩化カルシウムや塩化マグネシウム等の吸湿剤３が載せられており、前記容器１の開口部は透湿非透水性シート４で塞いである。【００２２】  ５は本体で、その本体５の上側外殻部には複数の吸気口６が開口されており、前記本体５の下側外殻部には複数の排気口７が開口されている。【００２３】  前記吸気口６から前記排気口７に通じる空気通路には、送気するための回転ファン８があり、その回転ファン８の中心にはモーターの回転軸９ａが取り付けられていてモーター９によって回転する。【００２４】  前記本体５の内部には、電源１０とスイッチ１１が収納されており、その電源１０とスイッチ１１は、一対の電線１２により通電可能に結ばれている。
スイッチ１１の操作部１１ａは、前記本体５の外部に露出している。【００２５】  前記スイッチ１１と前記モーター９は、一対の電線１３により通電可能に結ばれている。【００２６】  前記本体５は、その本体５の取付け部１４により、前記容器１に着脱可能に取り付けることができる。【００２７】  上記構成の除湿機１５Ａを使用する場合、容器１に本体５を、その取付け部１４により取り付ける。次に、スイッチ１１の操作部１１ａを操作してオンにし、モーター９の回転軸９ａを回転させ、回転軸９ａに取付けた回転ファン８を回転させる。
回転ファンの送気により、吸気口６より取り込まれた空気は、排気口７より排出され、透湿非透水性シート４を通過して吸湿剤３に到達し除湿される。【００２８】  したがって、自然の空気の流れだけでなく、回転ファン８により強制的に空気を吸湿剤３に流すことができるので、除湿効率が高くなり、一定期間における除湿量を多くして、湿度を低くできる効果がある。【００２９】  また、湿度を低くできるので、カビの発生・発育を抑えると共に、カビによる損傷や悪臭をなくしたり、少なくできる効果と、結露を少なくできる効果がある。【００３０】  また、湿度を低くできるので、押入や下駄箱、収納庫等の中に設置すれば布団や衣類、靴、収納物等が湿気たり、カビや結露で損傷するのを防ぐと共に、それらの内部空間の除湿ムラをなくし均一に除湿できる効果がある。【００３１】  また、構造が簡単であり、容易に実施できると共に、使い方が簡単なので、誰でも安全に使用することができる。
【実施例】
【００３２】  次に、図３ないし図１２に示す本発明の異なる実施の形態について説明する。なお、これらの本発明の異なる実施の形態の説明に当たって、前記本発明の第１の実施の形態と同一構成部分には同一符号を付して重複する説明を省略する。【００３３】  図３および図４に示す本発明の第２の実施形態において、前記本発明の第１の実施の形態と主に異なる点は、本体５の上側外殻部には複数の排気口７が開口されている点と、前記本体５の下側外殻部には複数の吸気口６が開口されている点と、前記本体５を透湿非透水性シート４に着脱自在の粘着剤１６で取付けた点と、本体５の上部に消臭剤や脱臭剤、芳香剤、除菌剤等２５を取付けた点で、このように構成した除湿機１５Ｂは、吸湿剤３により除湿された空気が透湿非透水性シート４を通過して回転ファンの回転により、吸気口６より取り込まれ、排気口７より上方に排出され、空気の対流を助長できる効果の他、前記本体５を透湿非透水性シート４に着脱自在の粘着剤１６で、簡単に取り付け取り外しができる効果と、消臭剤や脱臭剤、芳香剤、除菌剤等２５により消臭や脱臭、芳香、除菌等ができる効果とともに、前記本発明の第１の実施の形態と同様な作用効果が得られる。【００３４】  図５および図６に示す本発明の第３の実施形態において、前記本発明の第１の実施の形態と主に異なる点は、通気口１７ａを有する蓋１７に、本体５をその取付け部１８により取付けた点で、このように構成した除湿機１５Ｃは、通気口１７ａを有する蓋１７であれば、簡単に取り付けることができる効果とともに、前記本発明の第１の実施の形態と同様な作用効果が得られる。【００３５】  図７および図８に示す本発明の第４の実施形態において、前記本発明の第１の実施の形態と主に異なる点は、多数の開口部１９ａを有する蓋部１９と、本体５を一体形成した点で、このように構成した除湿機１５Ｄも、前記本発明の第１の実施の形態と同様な作用効果が得られる。【００３６】  図９および図１０に示す本発明の第５の実施形態において、前記本発明の第１の実施の形態と主に異なる点は、透湿性シートでできた袋２２や、小さな孔のあいた袋２２に入れた塩化カルシウムや酸化カルシウム、シリカゲル等の吸湿剤２３を、開口部２１ａ、２１ｂを有する容器２１に入れ、その容器２１に本体５をその取付け部２０で取付けた点で、このように構成した除湿機１５Ｅも、前記本発明の第１の実施の形態と同様な作用効果が得られる。【００３７】  図１１および図１２に示す本発明の第６の実施形態において、前記本発明の第１の実施の形態と主に異なる点は、透湿性シートでできた袋２２や、小さな孔のあいた袋２２に入れた塩化カルシウムや酸化カルシウム、シリカゲル等の吸湿剤２３を、開口部２１ｂを有する容器部２４に入れ、その容器部２４と本体５を一体形成した点と、本体５の上部に消臭剤や脱臭剤、芳香剤、除菌剤等２５を取付けた点で、このように構成した除湿機１５Ｆは、消臭剤や脱臭剤、芳香剤、除菌剤等２５により消臭や脱臭、芳香、除菌ができる効果とともに、前記本発明の第１の実施の形態と同様な作用効果が得られる。
【図面の簡単な説明】
【００３８】
【図１】本発明の、第１の実施の形態の平面図。
【図２】図１のＡ−Ａ線に沿う断面図。
【図３】本発明の、第２の実施の形態の平面図。
【図４】図３のＢ−Ｂ線に沿う断面図。
【図５】本発明の、第３の実施の形態の平面図。
【図６】図５のＣ−Ｃ線に沿う断面図。
【図７】本発明の、第４の実施の形態の平面図。
【図８】図７のＤ−Ｄ線に沿う断面図。
【図９】本発明の、第５の実施の形態の平面図。
【図１０】図９のＥ−Ｅ線に沿う断面図。
【図１１】本発明の、第６の実施の形態の平面図。
【図１２】図１１のＦ−Ｆ線に沿う断面図。
【符号の説明】
【００３９】１：容器
２：棚板
２ａ：滴下孔
３：吸湿剤
４：透湿非透水性シート
５：本体
６：吸気口
７：排気口
８：回転ファン
９：モーター
９ａ：回転軸
１０：電源
１１：スイッチ
１１ａ：操作部
１２、１３：電線
１４：取付け部
１５Ａ、１５Ｂ、１５Ｃ、１５Ｄ、１５Ｅ、１５Ｆ：除湿機
１６：粘着剤
１７：蓋
１７ａ：通気口
１８：取付け部
１９：蓋部
１９ａ：開口部
２０：取付け部
２１：容器
２１ａ、２１ｂ：開口部
２２：袋
２３：吸湿剤
２４：容器部
２５：消臭剤や脱臭剤、芳香剤、除菌剤等
【図１】
2005052816.tif 000003
【図２】
2005052816.tif 000004
【図３】
2005052816.tif 000005
【図４】
2005052816.tif 000006
【図５】
2005052816.tif 000007
【図６】
2005052816.tif 000008
【図７】
2005052816.tif 000009
【図８】
2005052816.tif 000010
【図９】
2005052816.tif 000011
【図１０】
2005052816.tif 000012
【図１１】
2005052816.tif 000013
【図１２】
2005052816.tif 000014
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
塩化カルシウム・塩化マグネシウム等の吸湿剤を入れた容器の開口部を透湿非透水性シートで塞いだ除湿器において、その除湿器に着脱自在に取付けることができる本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとからなることを特徴とする除湿機。
【請求項２】
塩化カルシウム・塩化マグネシウム等の吸湿剤を入れた容器の開口部を透湿非透水性シートで塞ぎ、通気口を有する蓋を取付けた除湿器において、前記蓋に着脱自在に取付けるかもしくは、前記蓋と一体形成した本体と、その本体の外殻部に開口した吸気口と、前記本体の外殻部に開口した排気口と、前記吸気口から前記排気口に通じる前記本体内の空気通路に設けた送気することができる回転ファンと、その回転ファンを回転させるモーターと、そのモーターの電源と、その電源のスイッチとからなることを特徴とする除湿機。
【請求項３】
透湿性シートでできた袋や、小さな孔のあいた袋に入れた塩化カルシウムや酸化カルシウム、シリカゲル等の吸湿剤と、それを収容することができる開口部を有する容器からなる除湿器において、前記容器に着脱自在に取付けるかもしくは、前記容器と一体形成した本体と、その本体の外殻部に開口した吸気口と、前記本体の外殻部に開口した排気口と、前記吸気口から前記排気口に通じる前記本体内の空気通路に設けた送気できる回転ファンと、その回転ファンを回転させるモーターと、そのモーターの電源と、その電源のスイッチとからなることを特徴とする除湿機。
【請求項４】
前記本体に着脱自在に取り付けることができる消臭剤や脱臭剤、芳香剤、除菌剤等とからなることを特徴とする請求項１、２、３記載の除湿機。